(57)【要約】【課題】  表示部のセンタースピーカーの水平方向の回動に同期させて左右のスピーカーを水平向きに回動でき、表示部を回動させたときでも良好な音声出力を得ることができる。【解決手段】  表示部１の前側にセンタースピーカー２が配置され、表示部１の左右両側に間隔をおいて左右のスピーカー３、４が配置され、左右のスピーカー３、４は回転台５上に配置され、表示部１と左右の回転台５は水平方向回動手段９を有し、左右の回転台５の四方に左右のスピーカー３、４を保持するための保持片１０が設けられており、この保持片１０は回転台５に対して幅調整可能に構成され、リモコンからの水平方向回動信号を受ける受光部１１がセンタースピーカー２に設けられ、この水平方向回動信号によって、表示部１がセンタースピーカー２と一体に所望の角度に回動されると共に左右のスピーカー３、４の回転台５が表示部１の回動と同期して所望の角度に回動されるように構成した。【選択図】  図１
2007295380.tif 000002
【特許請求の範囲】
【請求項１】
表示部の前側にセンタースピーカーが配置され、前記表示部の左右両側に間隔をおいて左右のスピーカーが配置された表示装置において、前記左右のスピーカーは回転台上に配置され、前記表示部と前記左右の回転台は水平方向回動手段を有し、前記左右の回転台の四方に前記左右のスピーカーを保持するための保持片が設けられており、この保持片は前記回転台に対して幅調整可能に構成され、リモコンからの水平方向回動信号を受信する受光部が前記センタースピーカーに設けられ、この水平方向回動信号によって、前記表示部が前記センタースピーカーと一体に所望の角度に回動されると共に、前記左右のスピーカーの回転台が前記表示部の回動と同期して所望の角度に回動されるように構成したことを特徴とする表示装置。
【請求項２】
表示部の前側にセンタースピーカーが配置され、前記表示部の左右両側に間隔をおいて左右のスピーカーが配置された表示装置において、前記左右のスピーカーは回転台上に配置され、前記表示部と左右の回転台は水平方向回動手段を有し、前記左右の回転台の四方に前記左右のスピーカーを保持するための保持片が設けられており、リモコンからの水平方向回動信号によって前記表示部と左右の回転台が所望の角度に回動されて、前記表示部のセンタースピーカーと前記左右のスピーカーが所望の向きになるように構成したことを特徴とする表示装置。
【請求項３】
前記水平回動手段は、前記表示部の基台と前記左右の回転台の基台に配置された駆動モーターとギヤ群とから構成され、この駆動モーターの回転駆動によって、前記ギヤ群を介して前記表示部の軸部及び前記左右の回転台の軸部を回動して、前記表示部と前記左右の回転台を回動させるようにした請求項２に記載の表示装置。
【発明の詳細な説明】
【技術分野】
【０００１】
本発明は、表示部の前側にセンタースピーカーが配置され、前記表示部の左右両側に間隔をおいて左右のスピーカーが配置された表示装置に関するものである。
【背景技術】
【０００２】
従来、この種の表示装置のように、水平回動機能を有する表示部にホームシアター等のサラウンドシステムを追加構築した場合には、表示部を水平向きに回動した時に音声出力方向がずれて最適なサラウンドシステムを体感できないという問題があった。
【０００３】
第１の従来技術を図５（ａ）（ｂ）（ｃ）に示す。この従来の表示装置は、図５（ａ）（ｂ）（ｃ）に示すように、画像を表示する画像表示部１０１と、音声を出力する左スピーカ部１０２及び右スピーカ部１０３とを備え、画像表示部１０１と左スピーカ部１０２及び右スピーカ部１０３の相対位置を赤外線受信部から受信した信号に基づいて変更するようにした。（例えば、特許文献１参照）。
【０００４】
ところが、これにおいては、左スピーカ部１０２と右スピーカ部１０３を水平向きに回動するものではなかった。
【０００５】
第２の従来技術を図６に示す。この従来の映像表示装置は、図６に示すように、映像信号を可視表示する表示部２０１Ａと、動作を指示する遠隔操作部２０５とを有する映像表示装置において、遠隔操作部２０５から超音波信号と、赤外線または電波信号を送信することにより、表示部２０１Ａの水平方向の向きを調整した。（例えば、特許文献２参照）。
【０００６】
ところが、これにおいては、左右のスピーカーを水平方向に回動させるものではなかった。
【０００７】
第３の従来技術を図７（ａ）（ｂ）（ｃ）に示す。この従来の可動式ディスプレイ装置は、図７（ａ）（ｂ）（ｃ）に示すように、複数の大型ディスプレイ装置３００、３０２を受信装置の各々に車輪等の移動補助機構を設け、相互の角度を時宜に応じて任意に変更可能とした。（例えば、特許文献３参照）。
【０００８】
ところが、これにおいては、左右のスピーカーを左右に回動するものではなかった。
【特許文献１】特開２０００−２５３３３３号公報
【特許文献２】特開平７−１４７６５６号公報
【特許文献３】特開平６−３３９０９４号公報
【発明の開示】
【発明が解決しようとする課題】
【０００９】
本発明は、上記従来の実情に鑑みてなされたものであって、表示部のスピーカーの水平方向の回動に同期させて左右のスピーカーを水平向きに回動させることができ、表示部を回動させたときでも良好な音声出力を得ることができる表示装置を提供することを目的としている。
【課題を解決するための手段】
【００１０】
本発明は、上記課題を解決するために提案されたものであって、請求項１に記載の発明は、表示部の前側にセンタースピーカーが配置され、前記表示部の左右両側に間隔をおいて左右のスピーカーが配置された表示装置において、前記左右のスピーカーは回転台上に配置され、前記表示部と前記左右の回転台は水平方向回動手段を有し、前記左右の回転台の四方に前記左右のスピーカーを保持するための保持片が設けられており、この保持片は前記回転台に対して幅調整可能に構成され、リモコンからの水平方向回動信号を受信する受光部が前記センタースピーカーに設けられ、この水平方向回動信号によって、前記表示部が前記センタースピーカーと一体に所望の角度に回動されると共に、前記左右のスピーカーの回転台が前記表示部の回動と同期して所望の角度に回動されるように構成したことを特徴としている。
【００１１】
請求項２に記載の発明は、表示部の前側にセンタースピーカーが配置され、前記表示部の左右両側に間隔をおいて左右のスピーカーが配置された表示装置において、前記左右のスピーカーは回転台上に配置され、前記表示部と左右の回転台は水平方向回動手段を有し、前記左右の回転台の四方に前記左右のスピーカーを保持するための保持片が設けられており、リモコンからの水平方向回動信号によって前記表示部と左右の回転台が所望の角度に回動されて、前記表示部のセンタースピーカーと前記左右のスピーカーが所望の向きになるように構成したことを特徴としている。
【００１２】
請求項３に記載の発明は、請求項２に記載の発明において、前記水平回動手段は、前記表示部の基台と前記左右の回転台の基台に配置された駆動モーターとギヤ群とから構成され、この駆動モーターの回転駆動によって、前記ギヤ群を介して前記表示部の軸部及び前記左右の回転台の軸部を回動して、前記表示部と前記左右の回転台を回動させるようにした。
【発明の効果】
【００１３】
請求項１に記載の発明によれば、リモコンからの水平方向回動信号をセンタースピーカーの受光部で受信して、このセンタースピーカーが前側に設けられた表示部が水平方向回動手段で左右いずれかの方向に回動すると、これに同期して左右のスピーカーが配置された回転台が同じ水平方向に回動するから、表示部の回動に合わせてセンタースピーカーと左右のスピーカーを同じ所望の向きにすることができ、表示部を回動させたときでも良好な音声出力を得ることができる。また、回転台の四方の保持片が回転台に対して幅調整可能に構成されているから、スピーカーのサイズに合わせて保持片の幅を調整できてスピーカーを確実に保持することができる。
【００１４】
請求項２に記載の発明によれば、リモコンからの水平方向回動信号によって前記表示部と左右の回転台が所望の角度に回動されて、前記表示部のセンタースピーカーと前記左右のスピーカーが所望の向きになるようになるようにできるから、表示部を回転させたときでも良好な音声出力を得ることができる。
【００１５】
請求項３に記載の発明によれば、水平回動手段が駆動ギヤとギヤ群とから構成されているから、構造を簡単化することができるとともに、表示部の軸部と左右の回転台の軸部を確実に同期して回転することができる。従って、表示部とセンタースピーカーと左右のスピーカーを同じ所望の向きに向けることができる。
【発明を実施するための最良の形態】
【００１６】
以下、本発明に係る表示装置の実施の形態について、図を参照しつつ説明する。
【００１７】
図１は本発明の表示装置の実施形態を示し、（ａ）はその全体の斜視図、（ｂ）は左右のスピーカーを配置するための回転台の斜視図、（ｃ）は表示部及び回転台を回転するための水平方向回動手段を示す概略平面図である。
【００１８】
本実施形態の表示装置は、図１（ａ）に示すように、表示部１の前側にセンタースピーカー２が配置され、表示部１の左右両側に間隔をおいて左右のスピーカー３、４が配置されている。左右のスピーカー３、４は回転台５上に配置され、表示部１と左右の回転台５は、図１（ｃ）に示すように、基台６内に配置された駆動モーター７とギヤ群８からなる水平方向回動手段９を有している。
【００１９】
図１（ｂ）に示すように、左右の回転台５の四方に左右のスピーカー３、４を保持するためのＬ字形の保持片１０が設けられており、この保持片１０は回転台５に対して幅調整可能に構成されている。この保持片１０を幅調整可能に構成するには、回転台５に形成された孔部５ａの奥部と保持片１０の基端部との間に引っ張りばねを配設することによって、保持片１０を狭まる方向に付勢するとよい。リモコン（図示略）からの水平方向回動信号を受信する受光部１１がセンタースピーカー２に設けられている。尚、図１（ｃ）に示すように、水平方向回動手段９のギヤ群８の回動によって表示部１の軸部１２と左右の回転台５の軸部１２が回動されて、表示部１と左右の回転台５が回動されるように構成されている。
【００２０】
図２は表示装置の表示部とセンタースピーカーと左右のスピーカーを前向きにした状態の平面図、図３は表示装置の表示部とセンタースピーカーと左右のスピーカーを左斜め向きにした状態の平面図、図４は表示装置の表示部とセンタースピーカーと左右のスピーカーを右斜め向きにした状態の平面図である。
【００２１】
図２、図３、図４に示すように、リモコンからの水平方向回動信号によって表示部１がセンタースピーカー２と一体に所望の角度に回動されると共に、左右のスピーカー３、４の回転台５が表示部１の回動と同期して所望の角度に回動されるように構成されている。
【００２２】
従って、本実施形態の表示装置によれば、リモコンからの水平方向回動信号をセンタースピーカー２の受光部１１で受信してこのセンタースピーカー２が前側に設けられた表示部１が水平方向回動手段で左右いずれかの方向に回動すると、これに同期して左右のスピーカー３、４が配置された回転台５が同じ水平方向に回動するから、表示部１の回動に合わせてセンタースピーカー２と左右のスピーカー３、４を同じ所望の向きにすることができ、表示部１を回動させたときでも良好な音声出力を得ることができる。また、回転台５の四方の保持片１０が回転台５に対して幅調整可能に構成されているから、スピーカー３，４のサイズに合わせて保持片１０の幅を調整できてスピーカー３、４を確実に保持することができる。また、水平回動手段９が駆動モーター７とギヤ群８とから構成されているから、構造を簡単化することができるとともに、表示部１の軸部１２と左右の回転台５の軸部１２を確実に同期して回転することができる。
【００２３】
尚、表示部１を回転台に配置して、この回転台の回転によって表示部１を回動するようにしても良いことは勿論である。
【図面の簡単な説明】
【００２４】
【図１】本発明の表示装置の実施形態を示し、（ａ）はその全体の斜視図、（ｂ）は左右のスピーカーを配置するための回転台の斜視図、（ｃ）は表示部及び回転台を回転するための水平方向回動手段を示す概略平面図である。
【図２】表示装置の表示部とセンタースピーカーと左右のスピーカーを前向きにした状態の平面図である。
【図３】表示装置の表示部とセンタースピーカーと左右のスピーカーを左斜め向きにした状態の平面図である。
【図４】表示装置の表示部とセンタースピーカーと左右のスピーカーを右斜め向きにした状態の平面図である。
【図５】従来の表示装置を示し、（ａ）はそのスピーカ収納状態の斜視図、（ｂ）はそのスピーカ展開状態の斜視図、（ｃ）はそのスピーカ回転状態の斜視図である。
【図６】従来の映像表示装置の斜視図である。
【図７】従来の可動式ディスプレイ装置を示し、（ａ）はその斜視図、（ｂ）はそのディスプレイ装置を水平に配置したときのユーザの視野角を示す説明図、（ｃ）はそのディスプレイをＶ字型に配置したときのユーザの視野角を示す説明図である。
【符号の説明】
【００２５】
１      表示部
２      センタースピーカー
３      スピーカー
４      スピーカー
５      回転台
５ａ    孔部
６      基台
７      駆動モーター
８      ギヤ群
９      水平方向回動手段
１０    保持片
１１    受光部
１２    軸部
【図１】
2007295380.tif 000003
【図２】
2007295380.tif 000004
【図３】
2007295380.tif 000005
【図４】
2007295380.tif 000006
【図５】
2007295380.tif 000007
【図６】
2007295380.tif 000008
【図７】
2007295380.tif 000009